(57)【要約】【課題】無線ＬＡＮ親機が設置され無線設定されているかを個別に確認することを可能にする、無線ＬＡＮ親機のリモート判別方法およびシステムを提供する。【解決手段】ネットワーク（１２）に接続されたサーバ（１３）が親機（１０）の固有情報を予め登録し、端末（１１）が親機（１０）の認識判定情報により親機を認識し、親機の固有情報をサーバ（１３）へ通知し、サーバ（１３）が登録された固有情報と端末（１１）から通知された固有情報との一致／不一致を判定する。【選択図】図１
2014057232.tif 000002
【特許請求の範囲】
【請求項１】
ネットワークを介して無線ＬＡＮの親機を判別する方法であって、
前記ネットワークに接続されたサーバが前記親機の固有情報を予め登録し、
前記無線ＬＡＮの端末が前記親機を認識することで当該親機の固有情報を前記サーバへ通知し、
前記サーバが前記登録された固有情報と前記端末から通知された固有情報との一致／不一致を判定する、
ことを特徴とする無線ＬＡＮ親機のリモート判別方法。
【請求項２】
前記端末は、前記端末が無線通信以外の方法で取得した前記親機の認識判定情報と前記親機との無線接続により取得した当該親機の認識判定情報とが一致した場合に、前記親機の固有情報を前記サーバへの通知する、ことを特徴とする請求項１に記載の無線ＬＡＮ親機のリモート判別方法。
【請求項３】
前記無線通信以外の方法は、前記親機に添付された二次元バーコード情報の読み取りであることを特徴とする請求項２に記載の無線ＬＡＮ親機のリモート判別方法。
【請求項４】
前記親機の固有情報は前記親機の媒体アクセス制御（ＭＡＣ）アドレスであることを特徴とする請求項１−３のいずれか１項に記載の無線ＬＡＮ親機のリモート判別方法。
【請求項５】
前記認識判定情報は前記親機のベーシックサービスセット識別子（ＢＳＳＩＤ）あるいは前記親機のサービスセット識別子（ＳＳＩＤ）であることを特徴とする請求項１−３のいずれか１項に記載の無線ＬＡＮ親機のリモート判別方法。
【請求項６】
前記端末は、
前記端末が無線通信以外の方法で取得したＭＡＣアドレスと前記親機との無線接続により取得したＭＡＣアドレスとが一致すれば前記ＭＡＣアドレスを前記サーバへの通知し、
前記端末が無線通信以外の方法で取得したＭＡＣアドレスと前記親機との無線接続により取得したＭＡＣアドレスとが一致しなければ、前記端末が無線通信以外の方法で取得したＳＳＩＤと前記親機との無線接続により取得したＳＳＩＤとを比較し、それらが一致した場合に前記ＭＡＣアドレスを前記サーバへの通知する、
ことを特徴とする請求項１−３のいずれか１項に記載の無線ＬＡＮ親機のリモート判別方法。
【請求項７】
前記端末は、特定の通信事業者のネットワークで利用可能な携帯端末であることを特徴とする請求項１−６のいずれか１項に記載の無線ＬＡＮ親機のリモート判別方法。
【請求項８】
ネットワークを介して無線ＬＡＮの親機を判別するシステムであって、
前記ネットワークに接続されたサーバが前記親機の固有情報を予め登録し、
前記無線ＬＡＮの端末が前記親機を認識することで当該親機の固有情報を前記サーバへ通知し、
前記サーバが前記登録された固有情報と前記端末から通知された固有情報との一致／不一致を判定する、
ことを特徴とする無線ＬＡＮ親機のリモート判別システム。
【請求項９】
前記端末は、前記端末が無線通信以外の方法で取得した前記親機の認識判定情報と前記親機との無線接続により取得した当該親機の認識判定情報とが一致した場合に、前記親機の固有情報を前記サーバへの通知する、ことを特徴とする請求項８に記載の無線ＬＡＮ親機のリモート判別システム。
【請求項１０】
前記無線通信以外の方法は、前記親機に添付された二次元バーコード情報の読み取りであることを特徴とする請求項９に記載の無線ＬＡＮ親機のリモート判別システム。
【請求項１１】
前記親機の固有情報は前記親機の媒体アクセス制御（ＭＡＣ）アドレスであることを特徴とする請求項８−１０のいずれか１項に記載の無線ＬＡＮ親機のリモート判別システム。
【請求項１２】
前記親機の認識判定情報は前記親機のベーシックサービスセット識別子（ＢＳＳＩＤ）あるいは前記親機のサービスセット識別子（ＳＳＩＤ）であることを特徴とする請求項８−１０のいずれか１項に記載の無線ＬＡＮ親機のリモート判別システム。
【請求項１３】
前記端末は、
前記端末が無線通信以外の方法で取得したＭＡＣアドレスと前記親機との無線接続により取得したＭＡＣアドレスとが一致すれば前記ＭＡＣアドレスを前記サーバへの通知し、
前記端末が無線通信以外の方法で取得したＭＡＣアドレスと前記親機との無線接続により取得したＭＡＣアドレスとが一致しなければ、前記端末が無線通信以外の方法で取得したＳＳＩＤと前記親機との無線接続により取得したＳＳＩＤとを比較し、それらが一致した場合に前記無線通信以外の方法で取得したＭＡＣアドレスを前記サーバへの通知する、
ことを特徴とする請求項８−１０のいずれか１項に記載の無線ＬＡＮ親機のリモート判別システム。
【請求項１４】
前記端末は、特定の通信事業者のネットワークで利用可能な携帯端末であることを特徴とする請求項８−１３のいずれか１項に記載の無線ＬＡＮ親機のリモート判別システム。
【請求項１５】
ネットワークを介して無線ＬＡＮの親機を判別するサーバを有するリモート判別システムにおける前記無線ＬＡＮの端末装置であって、
前記親機に添付された当該親機の認識判定情報を取得する第１取得手段と、
前記親機との無線接続により当該親機の認識判定情報を取得する第２取得手段と、
前記第１取得手段により取得された認識判定情報と前記第２取得手段により取得された認識判定情報とが一致した場合に当該親機の固有情報を前記サーバへ通知する親機判定手段と、
を有することを特徴とする無線ＬＡＮの端末装置。
【請求項１６】
前記第１取得手段は、無線通信以外の方法で前記親機に添付された固有情報を取得することを特徴とする請求項１５に記載の無線ＬＡＮの端末装置。
【請求項１７】
前記無線通信以外の方法は、前記親機に添付された二次元バーコード情報の読み取りであることを特徴とする請求項１６に記載の無線ＬＡＮの端末装置。
【請求項１８】
前記親機の固有情報は前記親機の媒体アクセス制御（ＭＡＣ）アドレスであることを特徴とする請求項１５−１７のいずれか１項に記載の無線ＬＡＮの端末装置。
【請求項１９】
前記親機の認識判定情報は前記親機のベーシックサービスセット識別子（ＢＳＳＩＤ）あるいは前記親機のサービスセット識別子（ＳＳＩＤ）であることを特徴とする請求項１５−１７のいずれか１項に記載の無線ＬＡＮの端末装置。
【請求項２０】
前記親機判定手段は、無線通信以外の方法で取得したＭＡＣアドレスと前記親機との無線接続により取得したＭＡＣアドレスとが一致すれば前記ＭＡＣアドレスを前記サーバへの通知し、無線通信以外の方法で取得したＭＡＣアドレスと前記親機との無線接続により取得したＭＡＣアドレスとが一致しなければ、無線通信以外の方法で取得したＳＳＩＤと前記親機との無線接続により取得したＳＳＩＤとを比較し、それらが一致した場合に前記無線通信以外の方法で取得したＭＡＣアドレスを前記サーバへの通知する、ことを特徴とする請求項１５−１７のいずれか１項に記載の無線ＬＡＮの端末装置。
【請求項２１】
特定の通信事業者のネットワークで利用可能な携帯端末であることを特徴とする請求項１５−２０のいずれか１項に記載の無線ＬＡＮの端末装置。
【請求項２２】
ネットワークを介して無線ＬＡＮの親機を判別するサーバを有するリモート判別システムにおける前記無線ＬＡＮの端末装置の制御方法であって、
前記親機に添付された当該親機の認識判定情報を取得し、
前記親機との無線接続により当該親機の認識判定情報を取得し、
前記第１取得手段により取得された認識判定情報と前記第２取得手段により取得された認識判定情報とが一致した場合に当該親機の固有情報を前記サーバへ通知する、
ことを特徴とする端末装置の制御方法。
【請求項２３】
無線通信以外の方法で前記親機に添付された認識判定情報を取得することを特徴とする請求項２２に記載の端末装置の制御方法。
【請求項２４】
前記親機に添付された二次元バーコード情報を読み取ることで前記認識判定情報を取得することを特徴とする請求項２３に記載の端末装置の制御方法。
【発明の詳細な説明】
【技術分野】
【０００１】
本発明はユーザ側に設置された無線ＬＡＮ(Local Area Network)の親機をリモート判別する方法およびシステムに関する。
【背景技術】
【０００２】
近年、無線ＬＡＮの普及に伴い、携帯電話機や無線通信機能を有するモバイルコンピュータ等の携帯端末を無線ＬＡＮ経由でインターネットに接続することが日常的に行われている。これに対して、ユーザ宅あるいはオフィス内に設置された無線ＬＡＮの親機（無線ルータあるいは無線アクセスポイント）は、インターネットに常時接続されているにも拘わらず、実際に携帯端末が接続してデータ送受信を行う時間は相対的に短く、ユーザ側無線ＬＡＮの利用率は低いと言わざるを得ない。
【０００３】
そこで、たとえば特許文献１に開示されたネットワークシステムでは、ユーザ側無線ＬＡＮの低利用率が回線利用料を割高にするという観点から、加入者宅内の無線ＬＡＮを第三者にも開放し、第三者による無線ＬＡＮ利用に応じて加入者の回線利用料を減額するというインセンティブを設けた。これにより、無線ＬＡＮの設置数を増加させ、無線ＬＡＮの利便性を更に促進させようというわけである。
【先行技術文献】
【特許文献】
【０００４】
【特許文献１】特開２００４−３１２０８８号公報
【発明の概要】
【発明が解決しようとする課題】
【０００５】
しかしながら、特許文献１に開示された加入者回線利用料を減額するシステムでは、ユーザにとって無線ＬＡＮ利用の誘因にはなり得ても、実際にどの無線ＬＡＮ親機が設置され無線設定されているかを直接確認することができない。このために、無線ＬＡＮ親機の設置に関する詳細な基礎データを得ることができず、利用率向上のための有効な対策を困難にしている。
【０００６】
そこで、本発明の目的は、無線ＬＡＮ親機が設置され無線設定されているかを個別に確認することを可能にする、無線ＬＡＮ親機のリモート判別方法およびシステムを提供することにある。
【課題を解決するための手段】
【０００７】
本発明によるリモート判別方法は、ネットワークを介して無線ＬＡＮの親機を判別する方法であって、前記ネットワークに接続されたサーバが前記親機の固有情報を予め登録し、前記無線ＬＡＮの端末が前記親機を認識することで当該親機の固有情報を前記サーバへ通知し、前記サーバが前記登録された固有情報と前記端末から通知された固有情報との一致／不一致を判定する、ことを特徴とする。
本発明によるリモート判別システムは、ネットワークを介して無線ＬＡＮの親機を判別するシステムであって、前記ネットワークに接続されたサーバが前記親機の固有情報を予め登録し、前記無線ＬＡＮの端末が前記親機を認識することで当該親機の固有情報を前記サーバへ通知し、前記サーバが前記登録された固有情報と前記端末から通知された固有情報との一致／不一致を判定する、ことを特徴とする。
【発明の効果】
【０００８】
本発明によれば、無線ＬＡＮ親機が設置され無線設定されているかを個別に確認することができる。
【図面の簡単な説明】
【０００９】
【図１】図１は本発明の第１実施形態によるリモート判別システムの概略的構成および動作を示すネットワーク図である。
【図２】図２は本発明の第２実施形態によるリモート判別システムの動作を示すシーケンス図である。
【図３】図３は本発明の第１実施例によるリモート判別システムの無線端末および無線親機の機能構成を示すブロック図である。
【図４】図４は図３に示すシステムにおける親機認識動作の第１例を示すシーケンス図である。
【図５】図５は図３に示すシステムにおける親機認識動作の第２例を示すシーケンス図である。
【図６】図６は図３に示すシステムにおける親機認識動作の第３例を示すシーケンス図である。
【発明を実施するための形態】
【００１０】
本発明の実施形態によれば、サーバが無線ＬＡＮの親機の固有情報を登録しておき、当該無線ＬＡＮの端末が当該親機を認識することで固有情報をサーバへ通知する。これにより、サーバは登録固有情報と通知固有情報との一致／不一致を判定することができ、無線ＬＡＮ親機が設置され無線設定されているかを個別に確認することが可能となる。特に、無線ＬＡＮの端末は、無線通信以外の方法で取得した親機の認識判定情報と当該親機との無線接続により取得した認識判定情報とを比較することで当該親機を認識する。認識判定情報が一致した場合のみ当該親機の固有情報をサーバへ通知することで、端末でチェックされた固有情報のみをサーバへ通知することができる。これにより、サーバの検索範囲を限定して検索負荷を軽減し、さらにネットワークトラフィックを低減することができる。以下、本発明の実施形態および実施例について図面を参照しながら詳細に説明する。
【００１１】
１．第１実施形態
本発明の第１実施形態によるリモート判別システムによれば、無線ＬＡＮの端末が無線ＬＡＮの親機を認識して当該親機の固有情報をサーバへ通知し、サーバが事前に登録された固有情報と端末から通知された固有情報との一致／不一致を判定する。
【００１２】
１．１）システム構成
図１に示すように、本実施形態によるリモート判別システムは、無線ＬＡＮを構成する無線親機１０および無線端末１１と、無線親機１０が接続するインターネット等のＩＰネットワーク１２と、ＩＰネットワーク１２に接続する突き合わせサーバ１３およびそのデータベース１３ａと、からなる。
【００１３】
無線親機１０はＩＰネットワーク１２に接続した無線ルータあるいは無線アクセスポイントなどであり、無線親機１０が制御する無線ゾーン内にある複数の無線端末との間で無線通信を行うことができる。無線端末１１は無線親機１０の子機として動作しうる携帯電話機あるいはモバイルコンピュータ等の携帯端末である。たとえば、無線端末１１として機能する携帯端末を持っているユーザが無線親機１０を購入して自宅に設置することで、所有する携帯端末を無線親機１０を通してインターネットに接続することが可能となる。
【００１４】
突き合わせサーバ１３は、無線親機１０の固有情報をデータベース１３ａに予め登録しておく。ここで、固有情報は、無線親機１０を特定できる固有コードであり、たとえば無線親機１０の媒体アクセス制御（ＭＡＣ：Media Access Control)アドレスを利用することができる。突き合わせサーバ１３は、無線端末１１から無線親機１０の固有情報が通知されると、データベース１３ａの登録固有情報を検索し、当該固有情報を持つ無線親機１０を判別することができる。
【００１５】
１．２）動作
図１において、まず、突き合わせサーバ１３は、無線親機１０の製造者あるいは配送サービス提供者等から当該無線親機１０の固有情報（ＭＡＣアドレスなどの固有コード）を受け取り、データベース１３ａに予め登録しておく（動作Ｓ１）。
【００１６】
ユーザが無線親機１０を自宅に設置してＩＰネットワーク１２に接続し、無線端末１１を無線親機１０に無線接続すると、無線端末１１は無線親機１０の認識判定情報により当該無線親機１０を認識し（動作Ｓ２）、認識が成立した場合に、当該親機の固有情報を突き合わせサーバ１３へ通知する（動作Ｓ３）。なお、認識判定情報は、無線親機１０の認識が可能となる特定情報であればよく、親機の固有情報をそのまま使用することもできる。突き合わせサーバ１３は、無線端末１１から無線親機１０の固有情報が通知されると、データベース１３ａの登録固有情報を検索し、一致する登録固有情報がヒットすれば、当該固有情報を持つ正規の無線親機１０がユーザ側で設置されたことを認識する。
【００１７】
１．３）効果
本発明の第１実施形態によれば、無線端末１１が無線親機１０を認識して固有情報を突き合わせサーバ１３へ通知し、突き合わせサーバ１３が事前に登録された固有情報と無線端末１１から通知された固有情報との一致／不一致を判定することで、無線親機１０が設置され無線設定されているかを個別に確認することが可能となる。
【００１８】
２．第２実施形態
本発明の第２実施形態によれば、無線ＬＡＮの端末において、無線通信以外の方法で取得した親機の認識判定情報と当該親機との無線接続により取得した当該親機の認識判定情報とを比較し、一致した場合のみ当該親機の固有情報をサーバへ通知し、サーバが登録固有情報と通知固有情報との一致／不一致を判定する。このように、無線ＬＡＮ端末で検証済みの固有情報のみをサーバへ通知するので、サーバの検索負荷を軽減することができ、さらにネットワークトラフィックを抑制することができる。
【００１９】
２．１）システム構成
第２実施形態によるシステム構成は図１に示すとおりであるから説明は省略するが、無線端末１１と無線親機１０との間の認識判定情報チェック動作が異なっている。
【００２０】
２．２）動作
図２に示すように、まず、突き合わせサーバ１３は、無線親機１０の製造者あるいは配送サービス提供者等から当該無線親機１０の固有情報（ＭＡＣアドレスなどの固有コード）を受け取り、データベース１３ａに予め登録しておく（動作Ｓ２０）。
【００２１】
ユーザは、無線親機１０を自宅に設置してＩＰネットワーク１２に接続し、無線親機１０に添付された親機の認識判定情報／固有情報を含む親機情報を無線通信以外の方法（手動や後述する二次元バーコードなどの光学的読み取り方法）により入力する（動作Ｓ２１）。この親機情報の入力により無線親機１０および無線端末１１の無線設定手順を開始することが望ましい。たとえば、無線端末１１がスマートフォン等の携帯電話機であれば、当該携帯電話機のキャリア経由で自動設定アプリをダウンロードし、親機情報を入力することで、自動設定アプリが起動して無線親機１０および無線端末１１の無線接続設定が自動的に実行される（動作Ｓ２２）。この無線設定の過程で無線端末１１は無線親機１０の認識判定情報を取得する（動作Ｓ２３）。
【００２２】
無線端末１１は、動作Ｓ２１において無線通信以外の方法で取得した認識判定情報と、動作Ｓ２３において無線接続により取得した認識判定情報とを比較し、一致した時のみ、当該無線親機１０の固有情報を突き合わせサーバ１３へ通知する（動作Ｓ２５）。突き合わせサーバは、無線端末１１から無線親機１０の固有情報が通知されると、通知された固有情報を用いてデータベース１３ａを検索し、登録された固有情報がヒットすれば、当該固有情報を持つ正規の無線親機１０がユーザ側で設置されたことを認識する（動作Ｓ２６）。
【００２３】
２．３）効果
本発明の第２実施形態によれば、上記第１実施形態と同様の効果に加えて、次の効果を奏する。すなわち、無線端末１１で検証済みの固有情報のみを突き合わせサーバ１３へ通知するので、登録されていない固有情報の検索という不要な動作を回避することができ、突き合わせサーバ１３の検索負荷を軽減することができる。さらに、無線端末１１で検証済みの固有情報のみを送信するのでＩＰネットワーク１２の負荷も軽減できる。
【００２４】
３．第１実施例
本発明の第１実施例による無線端末には二次元バーコードリーダ機能が設けられ、無線親機本体あるいは同梱のシートに当該無線親機の認識判定情報／固有情報を含む二次元バーコード情報が印刷されているものとする。さらに、二次元バーコード情報には、ダウンロードした自動設定アプリを起動する情報も含まれているものとする。
【００２５】
図３において、本実施例による無線親機１０は、無線ＬＡＮ端末と無線通信を行う無線通信部１０１、ＩＰネットワーク１２あるいはホームゲートウェイとの通信を行うネットワーク通信部１０２、各種プロトコル処理を行うプロトコル処理部１０３、自局の認識判定情報／固有情報を格納する認識判定情報格納部１０４、および、親機の動作を制御するための制御部１０５を有する。なお、プロトコル処理部１０３および制御部１０５の機能はコンピュータ（ＣＰＵ:Central Processing Unit）上でプログラムを実行することにより実現することもできる。
【００２６】
また、本実施例による無線端末１１は、加入している通信事業者の基地局（図示せず。）および無線親機１０と無線通信を行う無線通信部１１１、携帯端末あるいは無線ＬＡＮ端末として機能するためのプロトコル処理を含むプロトコル処理部１１２、二次元バーコード情報読取部１１３、親機判定部１１４、および、携帯端末および無線ＬＡＮ端末としての機能制御を行う制御部１１５を有する。二次元バーコード読取部１１３は、無線親機１０の固有情報を含む二次元バーコード情報１０ａを図示しないカメラ機能を用いて読み取り、その中に含まれる無線親機１０の認識判定情報を復号し、自動無線設定アプリを起動する。なお、プロトコル処理部１１２、親機判定部１１４および制御部１１５はコンピュータ（ＣＰＵ）上でプログラムを実行することにより実現することもできる。
【００２７】
４．親機認識動作
以下、二次元バーコード情報１０ａを用いた無線親機１０の認識動作について、無線親機１０のＭＡＣアドレスを取得できる場合と、ＭＡＣアドレスを取得しないで他の手段により親機を認識する場合を例示して説明する。以下、図４〜図７において図２に示す動作と同等の動作には同じ参照符号を付して詳細な説明は省略する。
【００２８】
４．１）ＭＡＣアドレスを取得できる場合（第１例）
無線親機１０がルータ動作を行う場合には、たとえばＤＨＣＰプロトコルを用いて、あるいは無線親機１０のベーシックサービスセット識別子ＢＳＳＩＤ（Basic Service Set Identifier）から無線親機１０のＭＡＣアドレスを容易に取得できる。
【００２９】
図４において、無線端末１１の二次元バーコード読取部１１３は二次元バーコード情報１０ａを読み取り、制御部１１５は読み取られた親機ＭＡＣアドレスを入力し（動作Ｓ２１）、無線親機１０および無線端末１１の無線接続設定を実行する（動作Ｓ２２）。続いて、プロトコル処理部１１２によるＤＨＣＰプロトコル処理により、あるいは制御部１１５が無線親機１０からのＢＳＳＩＤ（通常、ＭＡＣアドレスと同じ。）の通知により、無線親機１０のＭＡＣアドレスを取得する（動作Ｓ２３）。親機判定部１１４は、二次元バーコード情報１０ａの親機ＭＡＣアドレスとＤＨＣＰプロトコルにより取得された親機ＭＡＣアドレスとを認識判定情報として比較し、その一致／不一致を判定する（動作Ｓ２４）。そして、一致した時のみ、制御部１１５は、親機ＭＡＣアドレスを突き合わせサーバ１３へ通知する（動作Ｓ２５）。
【００３０】
４．２）ＭＡＣアドレスを取得できない場合（第２例）
無線親機１０のルータ機能がオフとなり、アクセスポイントモードで動作している場合には、無線親機１０のＩＰアドレスが確実に分からないためにＭＡＣアドレスを取得できない場合がある。この場合には、無線親機１０のサービスセット識別子ＳＳＩＤ（Service Set Identifier）を使用して無線親機１０を認識する。ＳＳＩＤは、無線親機１０の動作モードに依存せずに（すなわち、ＷＡＮ型回線種別に依存せずに）判別が可能である。
【００３１】
図５に示すように、アクセスポイント動作をする無線親機１０がホームゲートウェイ１０ｂを介してＩＰネットワーク１２に接続しているものとする。この場合、上述したように、無線端末１１の二次元バーコード読取部１１３は二次元バーコード情報１０ａを読み取り、制御部１１５は読み取られた親機のＭＡＣアドレスおよびＳＳＩＤを入力し（動作Ｓ２１）、無線親機１０および無線端末１１の無線接続設定を実行する（動作Ｓ２２）。続いて、無線親機１０からＳＳＩＤを取得すると（動作Ｓ２３）、親機判定部１１４は、二次元バーコード情報１０ａの親機ＳＳＩＤと無線接続により取得された親機ＳＳＩＤとを認識判定情報として比較し、その一致／不一致を判定する（動作Ｓ２４）。そして、一致した時のみ、制御部１１５は、親機ＭＡＣアドレスを突き合わせサーバ１３へ通知する（動作Ｓ２５）。
【００３２】
４．３）ハイブリッド方式（第３例）
上述した第１例および第２例を無線端末１１に組み込むことにより、無線親機１０がルータ動作している場合にはＭＡＣアドレスを用いて親機認識を行い、アクセスポイント動作している場合にはＳＳＩＤを用いて親機認識を行う。ただし、二次元バーコードの親機固有情報には、親機のＭＡＣアドレス（ＢＳＳＩＤ）とＳＳＩＤの両方が含まれているものとする。
【００３３】
図６において、無線端末１１の二次元バーコード読取部１１３は二次元バーコード情報１０ａを読み取り、制御部１１５は読み取られた親機ＭＡＣアドレスおよびＳＳＩＤを入力する（動作Ｓ３１）。そして、上述したように無線接続設定の後、可能であれば、無線親機１０からＭＡＣアドレス（ＢＳＳＩＤ）を取得する（動作Ｓ３２）。親機判定部１１４は、上述した第１例のように、二次元バーコード情報１０ａの親機ＭＡＣアドレスとＤＨＣＰプロトコルにより取得された親機ＭＡＣアドレスとが一致すれば（動作Ｓ３３；ＹＥＳ）、親機ＭＡＣアドレスを突き合わせサーバ１３へ通知する（動作Ｓ３４）。一致しなければ（動作Ｓ３３；ＮＯ）、制御部１１５は、無線親機１０からＳＳＩＤを取得し（動作Ｓ３５）、続いて、親機判定部１１４は二次元バーコード情報１０ａの親機ＳＳＩＤと無線接続により取得された親機ＳＳＩＤとを比較し（動作Ｓ３６）、一致した時のみ二次元バーコード情報１０ａの親機ＭＡＣアドレスを突き合わせサーバ１３へ通知する（動作Ｓ３４）。
【００３４】
４．４）その他の方式
親機認識動作は、上述した第１例〜第３例の他に、無線端末１１から無線親機１０へＰｉｎｇ要求を行い、その応答から無線親機１０のＭＡＣアドレスを取得することも可能である。Ｐｉｎｇ方式は無線親機１０がルータ動作モードでもアクセスポイント動作モードでも利用可能である。
【００３５】
また、ＵＰｎＰ(Universal Plug and Play)を用いて無線ＬＡＮの機器を検索してＭＡＣアドレスを取得する方式もある。ＵＰｎＰ方式も、無線親機１０がルータ動作モードでもアクセスポイント動作モードでも利用可能である。
【産業上の利用可能性】
【００３６】
本発明は無線ＬＡＮの親機および端末からなるシステムに適用可能である。
【符号の説明】
【００３７】
１０  無線親機
１０ａ  二次元バーコード
１０ｂ  ホームゲートウェイ
１１  無線端末
１２  ＩＰネットワーク
１３  突き合わせサーバ
１３ａ  データベース
１０１  無線通信部
１０２  ネットワーク通信部
１０３  プロトコル処理部
１０４  固有情報格納部
１０５  制御部
１１１  無線通信部
１１２  プロトコル処理部
１１３  二次元バーコード読取部
１１４  親機判定部
【図１】
2014057232.tif 000003
【図２】
2014057232.tif 000004
【図３】
2014057232.tif 000005
【図４】
2014057232.tif 000006
【図５】
2014057232.tif 000007
【図６】
2014057232.tif 000008